(57)【要約】【目的】高い意匠性と清掃性及び防水性を確保することができる浴室用防水パン開口部の閉塞構造を提供すること。【構成】浴室用防水パン２に形成された開口部２ａの蓋部材４による閉塞構造として、前記蓋部材４の裏面に係合突起７を突設し、該係合突起７を前記防水パン２の開口部２ａ周縁下面に係合せしめた状態で蓋部材４を防水パン２の開口部２ａの上面に沿ってスライドさせることによって、蓋部材４を防水パン２に固定して開口部２ａを閉塞する構成を採用する。本発明によれば、蓋部材４の固定部が防水パン２の裏面側に位置して防水パン２の意匠面に露出しないため、防水パン２の意匠性が損なわれることがなく、清掃が容易となって高い清掃性が確保される。又、蓋部材４を防水パン２に対して容易に着脱して開口部２ａを閉塞及び開放することができる。【選択図】      図８
2004339887.tif 000002
【特許請求の範囲】
【請求項１】
浴室用防水パンに形成された開口部の蓋部材による閉塞構造であって、
前記蓋部材の裏面に係合突起を突設し、該係合突起を前記防水パンの開口部周縁下面に係合せしめた状態で蓋部材を防水パンの開口部の上面に沿ってスライドさせることによって、蓋部材を防水パンに固定して開口部を閉塞することを特徴とする浴室用防水パン開口部の閉塞構造。
【請求項２】
前記蓋部材と前記防水パンの開口部周縁との接合面間に止水材を介設したことを特徴とする請求項１記載の浴室用防水パン開口部の閉塞構造。
【請求項３】
前記係合突起を前記蓋部材のスライド方向に対して左右両側に複数突設したことを特徴とする請求項１又は２記載の浴室用防水パン開口部の閉塞構造。
【請求項４】
前記防水パンの少なくとも前記係合突起が係合する開口部周縁下面を前記蓋部材のスライド方向に向かって下方に傾斜する傾斜面としたことを特徴とする請求項１〜３の何れかに記載の浴室用防水パン開口部の閉塞構造。
【請求項５】
前記防水パンの開口部周縁下面に、蓋部材の前記係合突起が嵌合する嵌合凹部を形成したことを特徴とする請求項１〜４の何れかに記載の浴室用防水パン開口部の閉塞構造。
【請求項６】
前記防水パンの開口部に、前記蓋部材の係合突起が通過するための切欠きを形成したことを特徴とする請求項１〜５の何れかに記載の浴室用防水パン開口部の閉塞構造。
【請求項７】
前記切欠きを前記係合突起と同数だけ形成したことを特徴とする請求項６記載の浴室用防水パン開口部の閉塞構造。
【発明の詳細な説明】
【０００１】
【発明の属する技術分野】
本発明は、浴室用防水パンに形成された開口部の蓋部材による閉塞構造に関するものである。
【０００２】
【従来の技術】
図１５にシステムバスルーム等の浴室用防水パン１０２を示すが、図示の防水パン１０２には、持ち運びの利便性、軽量化、メンテナンス性の向上等のために開口部（図示せず）が形成されており、この開口部１０２ａは、防水パン１０２が組み付けられた後に蓋部材１０４によって閉塞される。
【０００３】
ところで、従来、蓋部材１０４の防水パン１０２への固定構造としては、例えば図１２に示すように、その四隅のブラケット１０４ａに挿通するネジ１１０によって防水パン１０２に取り付ける方式が採用されていた（特許文献１参照）。
【０００４】
【特許文献１】
特開２００２−８８８４７号公報
【０００５】
【発明が解決しようとする課題】
ところが、図１５に示す従来の固定構造では、防水パン１０２の意匠面（表面）にブラケット１０４ａやネジ１１０等の固定部分が露出するため、見栄えが悪くて意匠性が損なわれる他、清掃性が悪いという問題があった。
【０００６】
又、意匠性を高めるためにネジ１１０を別部材で隠蔽したり、キャップで覆ったりすると、コストアップを招く他、施工の手間が増加するという問題が発生する。
【０００７】
本発明は上記問題に鑑みてなされたもので、その目的とする処は、高い意匠性と清掃性及び防水性を確保することができる浴室用防水パン開口部の閉塞構造を提供することにある。
【０００８】
【課題を解決するための手段】
上記目的を達成するため、請求項１記載の発明は、浴室用防水パンに形成された開口部の蓋部材による閉塞構造として、前記蓋部材の裏面に係合突起を突設し、該係合突起を前記防水パンの開口部周縁下面に係合せしめた状態で蓋部材を防水パンの開口部の上面に沿ってスライドさせることによって、蓋部材を防水パンに固定して開口部を閉塞する構成を採用したことを特徴とする。
【０００９】
従って、請求項１記載の発明によれば、蓋部材の固定部が防水パンの裏面側に位置して防水パンの意匠面に露出しないため、防水パンの意匠性が損なわれることがなく、清掃が容易となって高い清掃性が確保される。又、蓋部材を防水パンの開口部の上面に沿ってスライドさせることによって、該蓋部材を防水パンに対して容易に着脱して開口部を閉塞及び開放することができる。
【００１０】
請求項２記載の発明は、請求項１記載の発明において、前記蓋部材と前記防水パンの開口部周縁との接合面間に止水材を介設したことを特徴とする。
【００１１】
従って、請求項２記載の発明によれば、止水材によるシール効果によって蓋部材と防水パンの開口部周縁との接合面間に高い水密性が確保されるため、防水パンに高い防水性が確保される。
【００１２】
請求項３記載の発明は、請求項１又は２記載の発明において、前記係合突起を前記蓋部材のスライド方向に対して左右両側に複数突設したことを特徴とする。
【００１３】
従って、請求項３記載の発明によれば、複数の係合突起を防水パンの開口部周縁下面に係合せしめることによって、蓋部材を防水パンに一層確実に固定して開口部を閉塞することができる。
【００１４】
請求項４記載の発明は、請求項１〜３の何れかに記載の発明において、前記防水パンの少なくとも前記係合突起が係合する開口部周縁下面を前記蓋部材のスライド方向に向かって下方に傾斜する傾斜面としたことを特徴とする。
【００１５】
従って、請求項４記載の発明によれば、蓋部材の防水パンへの固定に際して該防水パンを防水パンの開口部の上面に沿ってスライドさせるに従って、防水パンの開口部周縁下面の傾斜面に係合する係合突起によって蓋部材が下方へと引き寄せられて防水パンに緊密に固定されるとともに、止水材が押し潰されて高いシール性を発揮するため、防水パンに一層高い防水性が確保される。
【００１６】
請求項５記載の発明は、請求項１〜４の何れかに記載の発明において、前記防水パンの開口部周縁下面に、蓋部材の前記係合突起が嵌合する嵌合凹部を形成したことを特徴とする。
【００１７】
従って、請求項５記載の発明によれば、蓋部材の係合突起が防水パンの開口部周縁下面に形成された嵌合凹部に嵌合することによって、蓋部材の防水パンへの固定にクリック感が付与されるとともに、固定が確実になされる。
【００１８】
請求項６記載の発明は、請求項１〜５の何れかに記載の発明において、前記防水パンの開口部に、前記蓋部材の係合突起が通過するための切欠きを形成したことを特徴とする。
【００１９】
従って、請求項６記載の発明によれば、蓋部材の係合突起を防水パンの切欠きを通過させてこれを開口部周縁下面に容易に係合させることができるため、蓋部材の防水パンへの固定作業が容易化する。
【００２０】
請求項７記載の発明は、請求項６記載の発明において、前記切欠きを前記係合突起と同数だけ形成したことを特徴とする。
【００２１】
従って、請求項７記載の発明によれば、切欠きを係合突起と同数だけ形成したため、全ての係合突起を各切欠きを通過させてこれらを開口部周縁下面に同時に係合させることができ、蓋部材の防水パンへの固定をワンタッチで迅速に行うことができる。
【００２２】
【発明の実施の形態】
以下に本発明の実施の形態を添付図面に基づいて説明する。
【００２３】
＜実施の形態１＞
図１は本発明構造を備える防水パンを含むユニットバスルームの斜視図である。
【００２４】
図１に示すユニットバスルームにおいては、横長の複数の壁パネル１を上下方向に積み重ねて接合することによって側壁が構成されている。
【００２５】
又、ユニットバスルームには、洗い場を構成する矩形平板状の防水パネル２が設けられており、この防水パネル２の長手方向に沿って浴槽３が配置されている。そして、防水パネル２の中央部には矩形状の開口部２ａ（図２及び図３参照）が形成されており、この開口部２ａは本発明に係る閉塞構造によって防水パン２に固定される矩形平板状の蓋部材４によって閉塞されている。尚、浴槽３には水栓金具５が付属しており、側壁の一部には手摺６が縦方向に長く取り付けられている。
【００２６】
次に、本発明に係る防水パン開口部の閉塞構造を図２〜図９に基づいて説明する。尚、図２は防水パンと蓋部材の斜視図、図３は防水パンの平面図、図４は図３のＡ−Ａ線断面図、図５は蓋部材の破断平面図、図６は図５のＢ−Ｂ線断面図、図７は図５のＣ−Ｃ線断面図、図８（ａ）〜（ｄ）は蓋部材によって開口部を閉塞する要領を説明する断面図、図９は図８（ｄ）のＤ−Ｄ線断面図である。
【００２７】
後述のように、蓋部材４は、防水パン２の開口部２ａの上面を図２、図３及び図５の矢印ａ方向にスライドすることによって防水パン２に固定されてその開口部２ａを閉塞するが、その裏面のスライド方向（図５の左右方向）に対して左右両側（図５の上下両側）には各２つのＬ字状の係合突起７がスライド方向に所定間隔を開けて一体に突設されている。ここで、図７に示すように、各係合突起７はＬ字状の水平部７ａが外側方に向くように形成されている。又、図６及び図７に示すように、蓋部材４の裏面には、ゴム製パッキン等の平板状の止水材８が接着されている。
【００２８】
他方、図２及び図３に示すように、防水パン２に形成された矩形状の前記開口部２ａの一端（蓋部材４のスライド方向一端（蓋部材４の差し込み側の一端）左右には、蓋部材４の裏面に形成された左右の前記係合突起７が通過するための矩形状の切欠き２ｂが形成されている。
【００２９】
又、図２及び図４に示すように、防水パン２の開口部２ａの左右（蓋部材４のスライド方向に対して左右）の周縁部には、蓋部材４のスライド方向（図示矢印ａ方向）に向かって下方に傾斜する傾斜面２ｃが形成されており、各傾斜面２ｃの前後（蓋部材４のスライド方向に対して前後）には、蓋部材４が防水パン２に固定されて開口部２ａを閉塞した状態（図８（ｄ）に示す状態）において該蓋部材４の前記係合突起７が嵌合するための半円状の嵌合凹部２ｄが形成されており、各嵌合凹部２ｄには弾性材から成る半リング状のグロメット９が嵌着されている。
【００３０】
ところで、図６に示すように、蓋部材４の裏面に突設された係合突起７においては、蓋部材４の左右にスライド方向に形成された２つの係合突起７の高さｈ１  ，ｈ２  はスライド方向に高くなっており、これらの水平部７ａを結ぶ直線Ｌの傾斜角は防水パン２の開口部２ａの左右周縁に形成された傾斜面２ｃの傾斜角に対応している。又、防水パン２の開口部２ａの全てが蓋部材４によって完全に覆われるように、図２に示す蓋部材４の幅Ｂ１  は防水パン２の開口部２ａの幅Ｂ２  よりも大きく設定され（Ｂ１  ＞Ｂ２  ）、長さＬ１  は開口部の長さＬ２  よりも大きく設定されている（Ｌ１  ＞Ｌ２  ）。
【００３１】
次に、防水パン２の開口部２ａの蓋部材４による閉塞要領を図８（ａ）〜（ｄ）に基づいて説明する。
【００３２】
防水パン２の開口部２ａの蓋部材４によって閉塞するには、先ず、図８（ａ）に示すように、蓋部材４をその先端部（スライド方向に対して先端部）を下にして傾け、その先端部裏面に突設された左右の係合突起７を防水パン２の開口部２ａに形成された前記切欠き部２ｂを通過させ、図８（ｂ）に示すように、これらを開口部２ａの左右周縁部の傾斜面２ｃに係合させる。そして、この状態を保ったまま蓋部材４を開口部２ａの上面に沿って図示矢印ａ方向にスライドさせ、同様にして蓋部材４の後端部裏面に突設された左右の係合突起７を防水パン２の切欠き２ｂを通過させて図８（ｃ）に示すように開口部２ａの左右周縁部の傾斜面２ｃに係合させる。
【００３３】
上述のようにして、蓋部材４の全ての係合突起７が防水パン２の開口部２ａの左右周縁部の傾斜面２ｃに係合せしめられると、該蓋部材４を防水パン２の開口部２ａの上面に沿って矢印ａ方向に更にスライドさせると、蓋部材４の係合突起７が係合する防水パン２の開口部２ａ周縁の傾斜面２ｃは前述のように蓋部材４のスライド方向に向かって下方に傾斜しているため、蓋部材４をスライドさせるに従って、防水パン２の傾斜面２ｃに係合する係合突起７によって蓋部材４が下方へと引き寄せられる。そして、図８（ｄ）に示すように、蓋部材４の係合突起が防水パン２の傾斜面２ｃに形成された嵌合凹部２ｄ（グロメット９）に嵌合した時点で蓋部材４の防水パン２への固定が完了し、防水パン２の開口部２ａが蓋部材４によって閉塞される。このとき、係合突起７の傾斜面２ｃの嵌合凹部２ｄ（グロメット９）への嵌合によって、蓋部材４の防水パン２への固定にクリック感が付与されるとともに、固定が確実になされる。
【００３４】
又、前述のように、防水パン２の傾斜面２ｃに係合する係合突起７によって蓋部材４が下方へと引き寄せられる結果、蓋部材４が防水パン２に緊密に固定されるとともに、止水材８が押し潰されて高いシール性を発揮するため、蓋部材４と防水パン２の開口部２ａ周縁との接合面間に高い水密性が確保されることとなり、これによって防水パン２に高い防水性が確保される。
【００３５】
尚、防水パン２に固定された蓋部材４は以上とは逆の手順を経て防水パン２から容易に取り外すことができ、防水パン２の開口部２ａを開放してこれをメンテナンス等のために供することができる。
【００３６】
以上において、本発明に係る防水パン２の開口部２ａの蓋部材４による閉塞構造においては、蓋部材４の固定部である係合突起７が防水パン２の裏面側に位置して防水パン２の意匠面（表面）に露出しないため、防水パン２の意匠性が損なわれることがなく、清掃が容易となって高い清掃性が確保される。
【００３７】
又、蓋部材４を防水パン２の開口部２ａの上面に沿ってスライドさせることによって、該蓋部材４を防水パン２に対して容易に着脱して開口部２ａを閉塞及び開放することができる。
【００３８】
更に、本実施の形態では、係合突起７を蓋部材４のスライド方向に対して左右両側に複数突設したため、複数の係合突起７を防水パン２の傾斜面２ｃに係合せしめることによって、蓋部材４を防水パン２に一層確実に固定して開口部２ａを閉塞することができる。
【００３９】
その他、本実施の形態では、防水パン２の開口部２ａに、蓋部材４の係合突起７が通過するための切欠き２ｂを形成したため、該切欠き２ｂに蓋部材４の係合突起７を通過させてこれを防水パン２の傾斜面２ｃに容易に係合させることができ、これによって蓋部材４の防水パン２への固定作業が容易化する。
【００４０】
＜実施の形態２＞
次に、本発明の実施の形態２を図１０及び図１１に基づいて説明する。尚、図１０は本実施の形態に係る閉塞構造を示す防水パンと蓋部材の斜視図、図１１（ａ）〜（ｃ）は蓋部材によって開口部を閉塞する要領を説明する断面図であり、これらの図においては図２〜図９に示したと同一要素には同一符号を付しており、以下、それらについての説明は省略する。
【００４１】
本実施の形態は、図１０に示すように、防水パン２の開口部２ａの左右の周縁に切欠き２ｂを蓋部材４の係合突起７と同数（図示例では４つ）だけ形成したことを特徴とし、他の構成は前記実施の形態１のそれと同様である。
【００４２】
而して、本実施の形態によれば、前記実施の形態１と同様の効果が得られる他、蓋部材４の防水パン２への固定に際して、図１１（ａ）に示すように、蓋部材４を傾けることなくこれを水平に保った状態で、全ての係合突起７を各切欠き２ｂを通過させてこれらを図１１（ｂ）に示すように防水パン２の傾斜面２ｃに同時に係合させることができるため、蓋部材４の防水パン２への固定をワンタッチで迅速に行うことができる（図１１（ｃ）参照）。
【００４３】
＜実施の形態３＞
次に、本発明の実施の形態３を図１２〜図１４に基づいて説明する。尚、図１２は蓋部材の側断面図、図１３は図１２のＥ部拡大詳細図、図１４は図１３のＦ−Ｆ線断面図である。
【００４４】
本実施の形態は、蓋部材４に形成された各係合突起７の一部を上下方向に移動可能としたことを特徴としており、他の構成は前記実施の形態１又は２のそれと同じである。
【００４５】
即ち、本実施の形態では、図１３及び図１４に示すように、各係合突起７を本体部７Ａと可動部７Ｂとで構成しており、本体部７Ａは円柱状部材であって、蓋部材４の下面に垂直に固定されている。そして、この本体部７Ａの内部には円孔状のガイド溝７ｂが形成されており、本体部７Ａの外側部には、前記ガイド溝７ｂに開口する上下方向に長い長円状のガイド孔７ｃが形成されている。
【００４６】
他方、前記可動部７Ｂは、Ｌ字状を成す部材であって、その垂直部７Ｂ−１は本体部７Ａの前記ガイド溝７ｂに挿入され、該垂直部７Ｂ−１の下端から直角に延びる水平部７Ｂ−２は、本体部７Ａの前記ガイド孔７ｃを貫通して外側方に突出している。
【００４７】
従って、各係合突起７において、可動部７Ｂは本体部７Ａに上下動自在に保持されており、これはスプリング１０によって常時上方に付勢されている。
【００４８】
而して、本実施の形態においても、前記実施の形態１，２と同様に蓋部材４を防水パンの開口部の上面に沿ってスライドさせることによって、防水パンの開口部を蓋部材４によって閉塞することができるが、本実施の形態では、蓋部材４に形成された各係合突起７の可動部７Ｂが前述のように上下動自在に保持されるとともに、スプリング１０によって常時上方に付勢されているため、係合突起７や防水パンの寸法誤差が係合突起７の可動部７Ｂの上下動によって吸収される。このため、全ての係合突起７（可動部７Ｂの水平部７Ｂ−２）が防水パンの傾斜面に常に確実に係合せしめられ、蓋部材４が防水パンにガタ無く一層確実に固定されて開口部が閉塞される。
【００４９】
【発明の効果】
以上の説明で明らかなように、請求項１記載の発明によれば、蓋部材の固定部が防水パンの裏面側に位置して防水パンの意匠面に露出しないため、防水パンの意匠性が損なわれることがなく、清掃が容易となって高い清掃性が確保される。又、蓋部材を防水パンの開口部の上面に沿ってスライドさせることによって、該蓋部材を防水パンに対して容易に着脱して開口部を閉塞及び開放することができる。
【００５０】
請求項２記載の発明によれば、止水材によるシール効果によって蓋部材と防水パンの開口部周縁との接合面間に高い水密性が確保されるため、防水パンに高い防水性が確保される。
【００５１】
請求項３記載の発明によれば、複数の係合突起を防水パンの開口部周縁下面に係合せしめることによって、蓋部材を防水パンに一層確実に固定して開口部を閉塞することができる。
【００５２】
請求項４記載の発明によれば、蓋部材の防水パンへの固定に際して該防水パンを防水パンの開口部の上面に沿ってスライドさせるに従って、防水パンの開口部周縁下面の傾斜面に係合する係合突起によって蓋部材が下方へと引き寄せられて防水パンに緊密に固定されるとともに、止水材が押し潰されて高いシール性を発揮するため、防水パンに一層高い防水性が確保される。
【００５３】
請求項５記載の発明によれば、蓋部材の係合突起が防水パンの開口部周縁下面に形成された嵌合凹部に嵌合することによって、蓋部材の防水パンへの固定にクリック感が付与されるとともに、固定が確実になされる。
【００５４】
請求項６記載の発明によれば、蓋部材の係合突起を防水パンの切欠きを通過させてこれを開口部周縁下面に容易に係合させることができるため、蓋部材の防水パンへの固定作業が容易化する。
【００５５】
請求項７記載の発明によれば、切欠きを係合突起と同数だけ形成したため、全ての係合突起を各切欠きを通過させてこれらを開口部周縁下面に同時に係合させることができ、蓋部材の防水パンへの固定をワンタッチで迅速に行うことができる。
【図面の簡単な説明】
【図１】本発明構造を備える防水パンを含むユニットバスルームの斜視図である。
【図２】本発明の実施の形態１に係る閉塞構造を示す防水パンと蓋部材の斜視図である。
【図３】防水パンの平面図である。
【図４】図３のＡ−Ａ線断面図である。
【図５】蓋部材の破断平面図である。
【図６】図５のＢ−Ｂ線断面図である。
【図７】図５のＣ−Ｃ線断面図である。
【図８】（ａ）〜（ｄ）は本発明の実施の形態１に係る閉塞構造において蓋部材によって開口部を閉塞する要領を説明する断面図である。
【図９】図８（ｄ）のＤ−Ｄ線断面図である。
【図１０】本発明の実施の形態２に係る閉塞構造を示す防水パンと蓋部材の斜視図である。
【図１１】（ａ）〜（ｃ）は本発明の実施の形態２に係る閉塞構造において蓋部材によって開口部を閉塞する要領を説明する断面図である。
【図１２】本発明の実施の形態３に係る蓋部材の側断面図である。
【図１３】図１２のＥ部拡大詳細図である。
【図１４】図１３のＦ−Ｆ線断面図である。
【図１５】従来の閉塞構造を示す浴室用防水パンの斜視図である。
【符号の説明】
１      壁パネル
２      防水パン
２ａ    開口部
２ｂ    切欠き
２ｃ    傾斜面
２ｄ    嵌合凹部
３      浴槽
４      蓋部材
５      水栓金具
６      手摺
７      係合突起
８      止水材
９      グロメット
【図１】
2004339887.tif 000003
【図２】
2004339887.tif 000004
【図３】
2004339887.tif 000005
【図４】
2004339887.tif 000006
【図５】
2004339887.tif 000007
【図６】
2004339887.tif 000008
【図７】
2004339887.tif 000009
【図８】
2004339887.tif 000010
【図９】
2004339887.tif 000011
【図１０】
2004339887.tif 000012
【図１１】
2004339887.tif 000013
【図１２】
2004339887.tif 000014
【図１３】
2004339887.tif 000015
【図１４】
2004339887.tif 000016
【図１５】
2004339887.tif 000017